(57)【特許請求の範囲】
【請求項１】
光源と、光源に対して投光方向の前方に設けられ光源のグレアを防止するグレア防止部材と、光源およびグレア防止部材が取り付けられる灯具本体とを具備し、グレア防止部材は、一端側に開口を塞ぐ端面が形成された略円筒状であって、上記端面から中空部を挟んで対向する側周面の部位にわたって、上記一端側に開放されたスリットが形成された筒体と、筒体の上記一端側からスリット内に挿入されて筒体に固定されると共に灯具本体に固定される支持体とからなり、該支持体は、スリット内に配置される中央片と、中央片の両端部からそれぞれ延設されて先端部が灯具本体に固定されるアームとで構成され、筒体の側周面の内側に当接して筒体に対する支持体の位置決めを行う位置決め片と、スリット内に挿入される部位を挿入方向に対して斜めに切り起こして形成され、上記端面の内面と係止して支持体の抜け止めを行う弾性係止片とを前記中央片に設けたことを特徴とする照明器具。
【発明の詳細な説明】
【０００１】
【発明の属する技術分野】
本発明は、光源のグレアを防止するグレア防止部材を備えた照明器具に関するものである。
【０００２】
【従来の技術】
従来より、ランプや反射板を灯具本体に取り付けて照明器具を構成したものがあった。ところで、スポットライト等の用途に用いられる照明器具では、ランプや反射板が直接見えるとグレアが生じるので、グレアを防止するためにランプや反射板が直視される範囲を制限する必要があり、図１１乃至図１３に示すような構造を有するグレア防止部材５０がランプの前方を覆うようにして灯具本体に取り付けられていた。このグレア防止部材５０はランプや反射板が直視される範囲を制限する両端が開口した筒体５１を有し、筒体５１は板材よりなる支持体５３を介して灯具本体に取り付けられる。筒体５１の中空部を挟んで対向する側周面５１ａの部位には軸方向に沿って走る一対のスリット５２ａ，５２ｂが形成されており、これらのスリット５２ａ，５２ｂは筒体５１のいずれの端部にも開放されていない。支持体５３は中央片５４の両端部からアーム５５，５６が延設されて形成されており、アーム５５，５６は同一方向に傾斜している。また、一方のアーム５５の基部には平面内に突出する突起５７が形成されている。なお、中央片５４及び他方のアーム５６は筒体５１に形成したスリット５２ａ，５２ｂに挿通可能な形状に形成されている。
【０００３】
ここで、支持体５３を筒体５１に取り付ける際は、支持体５３の他方のアーム５６を筒体５１の一方のスリット５２ａから筒体内部に挿入し、さらに他方のアーム５６を他方のスリット５２ｂから筒体の外部に露出させて、筒体５１を貫通させる。そして、一方のアーム５５に突接した突起５７を一方のスリット５２ａの縁に当接させた状態で、他方のスリット５２ｂから筒体外部に露出する他方のアーム５６におけるスリット５２ｂ近傍の部位をかしめて突起５８を形成し、突起５７および５８により支持体５３を筒体５１に固定していた。そして、アーム５６の先端に設けられた凸部５９を灯具本体の凹部に差し込み、アーム５５の先端に設けられた孔６０に挿通したねじを灯具本体にねじ込むことにより、グレア防止部材５０を灯具本体に固定していた。
【０００４】
また、図１４（ａ）（ｂ）及び図１５に示すように、筒体５１の中空部を挟んで対向する側周面５１ａの部位にアーム５５，５６の一端部に設けた溶接片６１，６１をスポット溶接して、アーム５５，５６を筒体５１に固定したものもあり、上述のグレア防止部材５０と同様、アーム５６の先端に設けられた凸部５９を灯具本体の凹部に差し込み、アーム５５の先端に設けられた孔６０に挿通したねじを灯具本体にねじ込むことにより、グレア防止部材５０を灯具本体に固定していた。
【０００５】
【発明が解決しようとする課題】
上述した照明器具の内、前者の照明器具では、グレア防止部材５０の筒体５１と支持体５３とを固定する際に、筒体５１に形成したスリット５２ａ，５２ｂに支持体５３を挿通して、筒体５１を貫通させる工程と、支持体５３のアーム５６をかしめて突起５８を形成する工程との二つの工程が必要になり、組み立ての手間がかかるという問題があった。また支持体５３のアーム５６はスリット５２ａ，５２ｂに挿通されるので、アーム５６の形状をスリット５２ａ，５２ｂに挿通可能な形状とする必要があり、灯具本体への取付部となるアーム５６の形状に自由度がないという問題もあった。さらに、後者の照明器具では、アーム５５，５６の溶接片６１，６１をそれぞれ筒体５１の側周面５１ａにスポット溶接しており、溶接個所が２ヶ所あるので、グレア防止部材５０の組み立てに時間がかかるという問題があった。
【０００６】
本発明は上記問題点に鑑みて為されたものであり、その目的とするところは、組み立ての手間を少なくし、且つ、グレア防止部材を灯具本体に取り付けるための支持体の形状の自由度を高めた照明器具を提供することにある。
【０００７】
【課題を解決するための手段】
上記目的を達成するために、本発明は、光源と、光源に対して投光方向の前方に設けられ光源のグレアを防止するグレア防止部材と、光源およびグレア防止部材が取り付けられる灯具本体とを具備し、グレア防止部材は、一端側に開口を塞ぐ端面が形成された略円筒状であって、上記端面から中空部を挟んで対向する側周面の部位にわたって、上記一端側に開放されたスリットが形成された筒体と、筒体の上記一端側からスリット内に挿入されて筒体に固定されると共に灯具本体に固定される支持体とからなり、該支持体は、スリット内に配置される中央片と、中央片の両端部からそれぞれ延設されて先端部が灯具本体に固定されるアームとで構成され、筒体の側周面の内側に当接して筒体に対する支持体の位置決めを行う位置決め片と、スリット内に挿入される部位を挿入方向に対して斜めに切り起こして形成され、上記端面の内面と係止して支持体の抜け止めを行う弾性係止片とを中央片に設けたことを特徴とする。
【０００８】
このような構成を採用したことにより、グレア防止部材を組み立てる際は、支持体を筒体の一端側からスリット内に挿入すると、支持体の位置決め片が筒体の側周面の内側に当接して支持体が筒体に対して位置決めされ、弾性係止片が筒体の端面の内面に係止して支持体の抜け止めが行われるので、支持体を筒体に貫通させる工程を無くすことができる。
【０００９】
【発明の実施の形態】
本発明の実施の形態を図面を参照して説明する。
【００１０】
（参考例）
本発明に係る照明器具の参考例について説明する。この照明器具は、図５に示すように、天井面等の取付面に上端部が取り付けられるアーム２１を備え、アーム２１の下端部に灯具本体１０が連結される。図示例ではアーム２１の上端部に配線ダクト用の連結具２２を設けてある。配線ダクトは下面側が開放された断面略Ｃ字形に形成されたダクトであって、全長に亙って内側面に一対の導電板を設けたものである。連結具２２は上端部が配線ダクト内に収納され、連結具２２に設けた集電子２２ａを導電板に接触させることによって配線ダクトから給電される。また、連結具２２は配線ダクトに対して摺動可能に連結され、配線ダクトの長手方向の任意の位置に位置させることができるようになっている。連結具２２には配線ダクトの開口内に係合することによって連結具２２の配線ダクトに対する回転を防止するストッパ２２ｂが設けられる。
【００１１】
アーム２１の上端部は連結具２２に対して３６０度より小さい規定の角度範囲で回動可能となるように結合される。つまり、アーム２１の上端部は円筒状であって連結具２２に挿入されるとともに、連結具２２に対して抜け止めがなされる。アーム２１内には一端を集電子２２ａに電気的に接続した電線２３が挿通され、電線２３の他端は灯具本体１０に収納されたソケット３に接続される。アーム２１の下端部には軸ねじ２４を用いて灯具本体１０が結合される。この構成により、灯具本体１０はアーム２１に対して上下方向に首振り可能になる。つまり、灯具本体１０は、配線ダクトに対する連結具２２の摺動により配線ダクトを敷設している範囲内で任意の位置に移動させることができ、連結具２２に対するアーム２１の回動により上下方向の軸周りの任意の方向に向けることができ、さらにアーム２１に対する灯具本体１０の回動により上下方向の任意の方向に向けることができる。このように、灯具本体１０の位置および向きを高い自由度で調節することができるから、目的とする照明対象の位置に応じて灯具本体１０の位置および向きを適正に調節することができる。
【００１２】
ところで、灯具本体１０は、比較的小径の円筒状に形成されアーム２１に連結されるソケット収納体１０ａと、比較的大径の円筒状に形成されソケット収納体１０ａの一端に結合されたランプ収納体１０ｂとを備える。ソケット収納体１０ａとランプ収納体１０ｂとは軸を略一致させた形で一体に連結される。以下ではランプ収納体１０ｂの軸方向を前後方向と呼び、ソケット収納体１０ａ側を後側とする。ソケット収納体１０ａとランプ収納体１０ｂとは組立ねじ１５を用いて結合される。
【００１３】
ソケット３はソケット収納体１０ａの中に固定ねじ１６を用いて固定され、ソケット３に保持された光源たるランプ１はランプ収納体１０ｂの中に配置される。ランプ１には白熱電球を用いる。ランプ収納体１０ｂの前面には開口窓１１が設けられ、ランプ収納体１０ｂの前面は密閉される。開口窓１１は、ガラス板のような透光板１１ａと、透光板１１ａを保持する窓枠１１ｂとからなり、窓枠１１ｂを灯具本体１０に対して凹凸結合することによって灯具本体１０に対して着脱可能に取り付けられる。灯具本体１０への開口窓１１の取り付けに際しては、窓枠１１ｂを灯具本体１０に位置合わせして窓枠１１ｂを回転させれば、灯具本体１０に開口窓１１が固定されるようになっている。また、灯具本体１０から開口窓１１を外したときに開口窓１１が落下するのを防止するために、灯具本体１０に一端を固定した落下防止紐１７の他端に開口窓１１を取り付けてある。なお本参考例では、ソケット収納体１０ａと、ソケット収納体１０ｂと、開口窓１１とで灯具本体１０が構成される。
【００１４】
ランプ収納体１０ｂの内部にはランプ１とともに反射板２も収納されている。反射板２は、固定反射板２ａと可動反射板２ｂとの２部材からなり、固定反射板２ａと可動反射板２ｂとはともに内周面が放物面状に形成され、中心軸を灯具本体１０の前後方向の中心線にほぼ一致させる形でランプ収納体１０ｂに収納される。固定反射板２ａはランプ収納体１０ｂの後壁内周面に突設されたＵ字状の突台１０ｆに支持された形でランプ収納体１０ｂに固定される。固定反射板２ａの中央部には開口が形成され、この開口にはソケット３に保持されたランプ１が挿通される。また、可動反射板２ｂは固定反射板２ａの前側において、ランプ収納体１０ｂに対して前後方向に移動可能に配置される。
【００１５】
ところで、上述した構成の照明器具は、たとえば美術館や博物館における展示物を照明するスポットライトとして用いられるのであるが、ランプ１や反射板２が直接見えるとグレアが生じるから、グレアの防止のためにランプ１や反射板２が直視される範囲を制限する必要がある。そこで、開口窓１１の後方にはランプ１に対して投光方向の前方にグレアを防止するグレア防止部材５０を配置してある。
【００１６】
以下に、本発明の要旨となるグレア防止部材５０について図１乃至図４を参照して説明する。グレア防止部材５０は、例えば白色の部材であってランプ１や反射板２が直視できる範囲を制限する筒体５１と、筒体５１に取り付けられ、先端部がねじなどを用いて窓枠１１ｂの後面に固定される支持体５３とから構成される。
【００１７】
筒体５１は略円筒状であって、両端部が開口しており、一端側には内鍔５１ｃが形成されている。ここで、筒体５１の内鍔５１ｃおよび筒体５１の中空部を挟んで対向する側周面５１ａの部位には筒体５１の一端側に開放された第１及び第２のスリットたるスリット５２，５２が筒体５１の軸方向に沿ってそれぞれ形成されている。また、スリット５２の奥方には、開放端側のスリット５２の部位よりも幅広の被係止部たる凹部５２ｄが形成されている。
【００１８】
板材よりなる支持体５３は、筒体５１の一端側からスリット５２内に挿入されて筒体５１に固定される中央片５４と、中央片５４の両端部からそれぞれ延設され先端部が窓枠１１ｂに固定されるアーム５５，５６とから構成される。支持体５３を筒体５１のスリット５２，５２内に挿入する際に先端側となる中央片５４の一側には、筒体５１の側周面５１ａの内側に当接して中央片５４を筒体５１内に位置決めする位置決め片６２，６２が両側に突設されており、スリット５２の奥５２ｃと当接する位置決め片６２の部位には段付き部６３が形成されている。また、中央片５４の一側の略中央には切欠６４が形成されており、ランプ１と中央片５４との干渉を防止している。また、各スリット５２の凹部５２ｄに対応する中央片５４の部位には、中央片５４に対して所定の角度で傾斜する弾性係止片６８が中央片５４の一部を切り起こして夫々形成されている。なお本参考例では、内鍔５１ｃから側周面５１ａにかけてそれぞれ形成されたスリット５２，５２の縁と当接する中央片５４の部位からガイド片６５，６５が構成される。
【００１９】
ここで、支持体５３を筒体５１に取り付ける際は、支持体５３の中央片５４を筒体５１の一端側からスリット５２，５２内に挿入すると、位置決め片６２，６２が筒体５１の側周面５１ａの内側に当接して、筒体５１の径方向における支持体５３の移動が規制され、支持体５３が筒体５１内に位置決めされる。さらに支持体５３の中央片５４をスリット５２内に挿入すると、スリット５２の縁に弾性係止片６８が当たって押し撓められ、さらに段付き部６３がスリット５２の奥５２ｃと当接するまで支持体５３の中央片５４をスリット５２内に挿入すると、弾性係止片６８が凹部５２ｄ内に入り込んで凹部５２ｄと係止し、支持体５３の抜け止めが行われる。この時、ガイド片６５がスリット５２の縁に嵌まっており、ガイド片６５がスリット５２の縁と接触しているので、筒体５１と支持体５３とのがたつきが低減される。
【００２０】
また、アーム５５，５６の先端には平面方向と略直交する方向に伸びる固定片６７，６７が設けられ、固定片６７は例えば固定ねじなどで窓枠１１ｂの後面にねじ止めされる。したがって、開口窓１１を灯具本体１０に装着した状態ではグレア防止部材５０も灯具本体１０に固定される。また、開口窓１１を灯具本体１０から取り外せばグレア防止部材５０も灯具本体１０から取り外されるから、ランプ１を容易に交換することができる。なお、アーム５５，５６の先端部は灯具本体１０の前端部内周面に形成した受け台１２に当接し、開口窓１１と受け台１２との間にアーム５５，５６の先端部が挟持される形となって、アーム５５，５６の固定強度が高められている。
【００２１】
上述のように、支持体５３を筒体５１の一端側からスリット５２内に挿入すると、支持体５３が筒体５１に対して位置決めされると共に、支持体５３の抜け止めが行われるので、支持体５３を筒体５１に貫通させる工程を無くすことができ、従来のグレア防止部材５０に比べて組み立ての工程が減り、組み立ての手間を減らすことができる。しかも、支持体５３を筒体５１に形成したスリット５２に貫通させる場合のように支持体５３の形状がスリット５２の形状に制限されることがなく、支持体５３を灯具本体１０に取り付けるための固定片６７の形状の自由度が高くなり、固定片６７を取り付ける他の部品の形状に合わせて固定片６７の形状を適宜変更できるから、他の部品への取付制限がない。
【００２２】
（実施形態）
図１０に本実施形態の照明器具の断面図を示す。尚、グレア防止部材５０以外の構成は上述した参考例の照明器具と同様であるので、同一の構成要素には同一の符号を付して、その説明を省略する。
【００２３】
この照明器具では、可動反射板２ｂの移動によって配光を制御するから、配光を反射板２のみによって制御することができるように、ランプ１からの直射光が前方に放射されるのを防止することが必要である。そこで、開口窓１１の後方にはランプ１に対して投光方向の前方にグレアを防止するグレア防止部材５０を配置してある。
【００２４】
以下に、本実施形態のグレア防止部材５０について図６乃至図９を参照して説明する。グレア防止部材５０は、例えば白色の部材であってランプ１からの直射光が前方に漏れるのを防止できる程度の大きさに形成された筒体５１と、筒体５１に取り付けられ、先端部がねじなどを用いて窓枠１１ｂの後面に固定される支持体５３とから構成される。
【００２５】
筒体５１は略円筒状であって、筒体５１の一端側には開口を塞ぐ端面５１ｂが設けられ、端面５１ｂおよび筒体５１の中空部を挟んで対向する側周面５１ａの部位にわたって筒体５１の一端側に開放されたスリット５２が筒体５１の軸方向に沿って形成されている。
【００２６】
板材よりなる支持体５３は、筒体５１の一端側からスリット５２内に挿入されて筒体５１に固定される中央片５４と、中央片５４の両端部からそれぞれ延設され先端部が窓枠１１ｂに固定されるアーム５５，５６とから構成される。支持体５３を筒体５１のスリット５２に挿入する際に先端側となる中央片５４の一側には、筒体５１の側周面５１ａの内側に当接して中央片５４を筒体５１内に位置決めする位置決め片６２，６２が両側に突設されており、スリット５２の奥５２ｃと当接する位置決め片６２の部位には段付き部６３が形成されている。また、中央片５４の一側の略中央には切欠６４が形成されており、ランプ１と中央片５４との干渉を防止している。一方、中央片５４の他側の略中央には、支持体５３をスリット５２に挿入した際に端面５１ｂに形成されたスリット５２に嵌まるガイド片６５が形成され、ガイド片６５の両側には中央片５４に対して所定の角度で傾斜する弾性係止片６６，６６が中央片５４の一部を切り起こして形成されている。ここに、筒体５１の端面５１ｂの内側からスリット５２の奥５２ｃまでの寸法Ｈｃは、段付き部６３からガイド片６５の先端までの寸法Ｈａよりも短く、且つ、段付き部６３から弾性係止片６６の先端までの寸法Ｈｂよりも長い寸法に形成されている。
【００２７】
支持体５３を筒体５１に取り付ける際は、支持体５３の中央片５４を筒体５１の一端側からスリット５２内に挿入すると、位置決め片６２，６２が筒体５１の側周面５１ａの内側に当接して、筒体５１の径方向における支持体５３の移動が規制され、支持体５３が筒体５１内に位置決めされる。さらに支持体５３の中央片５４をスリット５２内に挿入すると、端面５１ｂに形成されたスリット５２の縁に弾性係止片６６が当たって押し撓められ、さらに段付き部６３がスリット５２の奥５２ｃと当接するまで支持体５３の中央片５４をスリット５２内に挿入すると、弾性係止片６６が端面５１ｂの内側に入り込んで端面５１ｂの内側と係止し、支持体５３の抜け止めが行われる。この時、ガイド片６５は端面５１ｂに形成されたスリット５２に嵌まり込んでおり、ガイド片６５がスリット５２の縁と接触しているので、筒体５１と支持体５３とのがたつきを減らすことができる。
【００２８】
このように、支持体５３を筒体５１の一端側からスリット５２内に挿入すると、支持体５３が筒体５１に対して位置決めされると共に、支持体５３の抜け止めが行われるので、支持体５３を筒体５１に貫通させる工程を無くすことができ、従来のグレア防止部材５０に比べて組み立ての工程が減り、組み立ての手間を減らすことができる。しかも、支持体５３を筒体５１に形成したスリット５２に貫通させる場合のように支持体５３の形状がスリット５２の形状に制限されることがなく、支持体５３を灯具本体１０に取り付けるための固定片６７の形状の自由度が高くなり、固定片６７を取り付ける他の部品の形状に合わせて固定片６７の形状を適宜変更できるから、他の部品への取付制限がない。
【００２９】
【発明の効果】
上述のように、請求項１の発明は、光源と、光源に対して投光方向の前方に設けられ光源のグレアを防止するグレア防止部材と、光源およびグレア防止部材が取り付けられる灯具本体とを具備し、グレア防止部材は、一端側に開口を塞ぐ端面が形成された略円筒状であって、上記端面から中空部を挟んで対向する側周面の部位にわたって、上記一端側に開放されたスリットが形成された筒体と、筒体の上記一端側からスリット内に挿入されて筒体に固定されると共に灯具本体に固定される支持体とからなり、該支持体は、スリット内に配置される中央片と、中央片の両端部からそれぞれ延設されて先端部が灯具本体に固定されるアームとで構成され、筒体の側周面の内側に当接して筒体に対する支持体の位置決めを行う位置決め片と、スリット内に挿入される部位を挿入方向に対して斜めに切り起こして形成され、上記端面の内面と係止して支持体の抜け止めを行う弾性係止片とを中央片に設けたことを特徴とする。
【００３０】
このような構成を採用したことによって、グレア防止部材を組み立てる際は、支持体を筒体の一端側からスリット内に挿入すると、支持体の位置決め片が筒体の側周面の内側に当接して筒体に対し支持体が位置決めされ、弾性係止片が筒体の端面の内面に係止して支持体の抜け止めが行われるので、支持体を筒体に貫通させる工程を無くすことができ、従来のグレア防止部材に比べて組み立ての工程が減り、組み立ての手間を減らすことができるという効果がある。しかも、支持体を筒体に形成したスリットに貫通させる場合のように支持体の形状がスリットの形状に制限されることがなく、支持体を灯具本体に取り付けるための取付部の形状の自由度が高くなり、取付部を取り付ける他の部品（灯具本体）の形状に合わせて適宜変更でき、他の部品への取付制限がないという効果もある。
【図面の簡単な説明】
【図１】  参考例の照明器具に用いるグレア防止部材を示し、（ａ）は組立前の状態を示す説明図、（ｂ）は組立後の状態を示す説明図である。
【図２】  同上のグレア防止部材に用いる支持体を示す外観図である。
【図３】  同上のグレア防止部材に用いる筒体を示し、（ａ）は左側からみた側面図、（ｂ）は上面図、（ｃ）は右側から見た側面図である。
【図４】  同上のグレア防止部材の組立状態を示す一部省略せる上面図である。
【図５】  同上の照明器具の断面図である。
【図６】  実施形態の照明器具に用いるグレア防止部材を示し、（ａ）は組立前の状態を示す説明図、（ｂ）は組立後の状態を示す説明図である。
【図７】  同上のグレア防止部材に用いる支持体を示す外観図である。
【図８】  同上のグレア防止部材に用いる筒体を示し、（ａ）は上面図、（ｂ）は正面図である。
【図９】  （ａ）は同上のグレア防止部材の組立前の状態を示す要部斜視図、（ｂ）は一部省略せる上面図である。
【図１０】  同上の照明器具の断面図である。
【図１１】  従来の照明器具に用いるグレア防止部材を示し、（ａ）は側断面図、（ｂ）は上面図である。
【図１２】  （ａ）（ｂ）は同上の筒体を示す一部破断せる側面図である。
【図１３】  同上の支持体を示す外観図である。
【図１４】  同上の別のグレア防止部材を示し、（ａ）は正面図、（ｂ）は側面図である。
【図１５】  同上の組立前の状態を示す説明図である。
【符号の説明】
５０  グレア防止部材
５１  筒体
５１ａ  側周面
５１ｃ  内鍔
５２  スリット
５３  支持体
５４  中央片
６２  位置決め片
６５  ガイド片
６８  弾性係止片
【図１】
0003769627.tif 000002
【図２】
0003769627.tif 000003
【図３】
0003769627.tif 000004
【図４】
0003769627.tif 000005
【図５】
0003769627.tif 000006
【図６】
0003769627.tif 000007
【図７】
0003769627.tif 000008
【図８】
0003769627.tif 000009
【図９】
0003769627.tif 000010
【図１０】
0003769627.tif 000011
【図１１】
0003769627.tif 000012
【図１２】
0003769627.tif 000013
【図１３】
0003769627.tif 000014
【図１４】
0003769627.tif 000015
【図１５】
0003769627.tif 000016